【事件の表示】
　特許第３２０３６６０号「画像記録装置」の請求項１ないし４、６ないし１０に係る特許に対する特許異議の申立てについて、次のとおり決定する。
【結　論】
　訂正を認める。
　特許第３２０３６６０号の請求項１、３に係る特許を取り消す。
　同請求項２、５ないし９に係る特許を維持する。
【理　由】
１．手続の経緯
　特許第３２０３６６０号の請求項１ないし１２についての出願は、平成２年１２月１３日に特許出願され、平成１３年６月２９日にその発明について特許の設定登録がなされ、その後、その特許について、異議申立人市東勇、及び、神田泰貴より特許異議の申立がなされ、平成１４年４月２４日に取消理由通知がなされ、その指定期間内である平成１４年７月９日に訂正請求がされたものである。
　
　
２．訂正の適否についての判断
（１）訂正の内容
　特許権者が、訂正請求において求めている訂正の内容は、次のとおりである。
　
ア．訂正事項ａ
　特許請求の範囲の請求項１を削除する。
　
イ．訂正事項ｂ
　「【請求項２】　前記展開する手段により画像情報が展開される１ページのメモリ空間をブロック分けし、ブロック単位で圧縮を行うようにしたことを特徴とする請求項１記載の画像記録装置。」を、
「【請求項１】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段、前記展開する手段により画像情報が展開される１ページのメモリ空間をブロックに分割して管理するブロック管理手段、ラインバッファを具備し、ブロック管理手段は、前記圧縮する手段によりブロックを圧縮し展開と同時並行で前記圧縮データを保持する手段のブロックに書き込み処理を行い、ブロック単位で圧縮を行って展開された画像情報を圧縮した状態のデータで保持するように構成し、前記圧縮したデータを保持する手段の圧縮データを記録部へ出力する場合には、圧縮データを前記圧縮したデータを保持する手段から読み出して伸張し、ラインバッファに格納することを特徴とする画像記録装置。」に訂正する。
　
ウ．訂正事項ｃ
　「【請求項３】　前記展開する手段は、画像情報が展開される１ページのメモリ空間をブロック分けした１ブロックと同等のサイズを持ったバッファメモリを少なくとも２つ以上持つことを特徴とする請求項２記載の画像記録装置。」を、
「【請求項２】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段、前記展開する手段により画像情報が展開される１ページのメモリ空間をブロックに分割して管理するブロック管理手段を具備し、ブロック単位で圧縮を行って展開された画像情報を圧縮した状態のデータで保持するように構成し、前記展開する手段は、画像情報が展開される１ページのメモリ空間をブロック分けした１ブロックと同等のサイズを持ったバッファメモリを２つ持ち、ブロック管理手段は、ブロックの画像情報を一方のバッファメモリに展開し、前記圧縮する手段によりブロックを圧縮し展開と同時並行で前記圧縮データを保持する手段のブロックに書き込み処理を行い、一方のバッファメモリに展開するとともに他方のバッファメモリの内容を前記圧縮する手段により圧縮し、２つのバッファメモリに交互に展開及び展開した結果の圧縮を行うことを特徴とする画像記録装置。」に訂正する。
　
エ．訂正事項ｄ
　「【請求項４】　前記ブロックのサイズは、縦横の長さが２のべき乗の画素数であることを特徴とする請求項２記載の画像記録装置。」を、
「【請求項３】　前記ブロックのサイズは、縦横の長さが２のべき乗の画素数であることを特徴とする請求項１記載の画像記録装置。」に訂正する。
　
オ．訂正事項ｅ
　「【請求項５】　前記展開する手段により、ページ記述言語を解読して画像情報に展開する場合に、前記バッファメモリのうちの１つに展開し、展開する文字または図形の座標が展開中のバッファメモリのサイズを越えた場合に、他のバッファメモリに切り換えて展開するようにしたことを特徴とする請求項３記載の画像記録装置。」を、
「【請求項４】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段を具備し、前記展開する手段により画像情報が展開される１ページのメモリ空間をブロック分けし、ブロック単位で圧縮を行って、展開された画像情報を圧縮した状態のデータで保持するとともに、前記展開する手段は、画像情報が展開される１ページのメモリ空間をブロック分けした１ブロックと同等のサイズを持ったバッファメモリを少なくとも２つ以上持ち、前記展開する手段により、ページ記述言語を解読して画像情報に展開する場合に、前記バッファメモリのうちの１つに展開し、展開する文字または図形の座標が展開中のバッファメモリのサイズを越えた場合に、他のバッファメモリに切り換えて展開するようにしたことを特徴とする画像記録装置。」に訂正する。
　
カ．訂正事項ｆ
　「【請求項６】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成したことを特徴とする画像記録装置。」を、
「【請求項５】　ページ記述言語で記述された文章や図形を解読して画像情報に展開し、画像情報として出力することが可能になった画像記録装置において、ページ記述言語で記述された文章や図形を解読して画像情報に展開する手段、複数のバッファメモリ、展開した画像情報を圧縮／伸張する手段、圧縮したデータを保持する手段を具備し、展開された画像情報を圧縮した状態のデータで保持するように構成し、画像情報を一つのバッファメモリに展開し、他のバッファメモリに展開するように切り替えられたら前記１つのバッファメモリの画像情報と前記圧縮／伸張する手段により前記圧縮したデータを保持する手段の圧縮データを伸張した画像情報とを合成し、その結果を圧縮し、前記他のバッファメモリへの展開と同時並行で前記圧縮したデータを保持する手段への書き込み処理を行うことを特徴とする画像記録装置。」に訂正する。
　
キ．訂正事項ｇ
　「【請求項７】　前記展開する手段により画像情報が展開される１ページのメモリ空間をブロック分けし、ブロック単位で圧縮／伸張を行うようにしたことを特徴とする請求項６記載の画像記録装置。」を、
「【請求項６】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成し、展開した画像情報と前記圧縮／伸張する手段により前記圧縮したデータを保持する手段の圧縮データを伸張した画像情報とを合成し、その結果を圧縮し、前記圧縮したデータを保持する手段への書き込み処理を行うとともに、前記展開する手段により画像情報が展開される１ページのメモリ空間をブロック分けし、ブロック単位で圧縮／伸張を行い、さらに、前記圧縮したデータを保持する手段の各ブロックが空白であるか否かを保持するレジスタを持ち、このレジスタを参照して該当するブロックが空白の場合には、伸張、合成の処理を行わずバッファメモリの内容を直接圧縮して前記圧縮したデータを保持する手段の該当するブロックに書き込むことを特徴とする画像記録装置。」に訂正する。
　
ク．訂正事項ｈ
　「【請求項８】　前記展開する手段は、画像情報が展開される１ページのメモリ空間をブロック分けした１ブロックと同等のサイズを持ったバッファメモリを少なくとも２つ以上持つことを特徴とする請求項７記載の画像記録装置。」を、
「【請求項７】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成し、展開した画像情報と前記圧縮／伸張する手段により前記圧縮したデータを保持する手段の圧縮データを伸張した画像情報とを合成し、その結果を圧縮し、前記圧縮したデータを保持する手段への書き込み処理を行うとともに、前記展開する手段により画像情報が展開される１ページのメモリ空間をブロック分けし、ブロック単位で圧縮／伸張を行い、さらに、前記展開する手段は、前記ブロックと同等のサイズを持ったバッファメモリを２つ持ち、一方のバッファメモリに展開するとともに他方のバッファメモリの内容を前記圧縮する手段により圧縮し、２つのバッファメモリに交互に展開及び展開した結果の圧縮を行うことを特徴とする画像記録装置。」に訂正する。
　
ケ．訂正事項ｉ
　「【請求項９】　前記展開する手段により、展開作業の終了しているバッファメモリの中から１つ以上を選択して圧縮データ保持用メモリの該当するブロックの伸張したデータと合成し、圧縮／伸張する手段により、合成した結果を圧縮して前記該当するブロックに格納し、バッファメモリを使用可能とすることを特徴とする請求項８記載の画像記録装置。」を、
「【請求項８】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成し、前記展開する手段は、画像情報が展開される１ページのメモリ空間をブロック分けした１ブロックと同等のサイズを持ったバッファメモリを少なくとも２つ以上持ち、画像情報が展開される１ページのメモリ空間をブロック分けし、ブロック単位で圧縮／伸張を行うようにしたものであり、前記展開する手段により、展開作業の終了しているバッファメモリの中から１つ以上を選択して圧縮データ保持用メモリの該当するブロックの伸張したデータと合成し、圧縮／伸張する手段により、合成した結果を圧縮して前記該当するブロックに格納し、バッファメモリを使用可能とすることを特徴とする画像記録装置。」に訂正する。
　
コ．訂正事項ｊ
　「【請求項１０】　前記展開する手段は、展開しようとするブロックに対応する圧縮データ保持用メモリの圧縮データを圧縮／伸張する手段により伸長してバッファメモリに保持し、該バッファメモリに合成しながら画像情報を展開するようにしたことを特徴とする請求項８記載の画像記録装置。」を、
「【請求項９】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段、ラインバッファを具備し、展開された画像情報を圧縮した状態のデータで保持するように構成し、展開した画像情報と前記圧縮／伸張する手段により前記圧縮したデータを保持する手段の圧縮データを伸張した画像情報とを合成し、その結果を圧縮し、前記圧縮したデータを保持する手段への書き込み処理を行うとともに、前記展開する手段により画像情報が展開される１ページのメモリ空間をブロック分けし、ブロック単位で圧縮／伸張を行い、さらに、前記展開する手段は、前記ブロックと同等のサイズを持ったバッファメモリを２つ持ち、展開しようとするブロックに対応する圧縮データ保持用メモリの圧縮データを圧縮／伸張する手段により伸長してバッファメモリに保持し、該バッファメモリに合成しながら画像情報を展開し、前記圧縮したデータを保持する手段の圧縮データを記録部へ出力する場合には、圧縮データを前記圧縮したデータを保持する手段から読み出して前記圧縮／伸張する手段で伸張し、ラインバッファに格納するようにしたことを特徴とする画像記録装置。」に訂正する。
　
サ．訂正事項ｋ
　「【請求項１１】　前記圧縮／伸張する手段と圧縮したデータを保持する手段をそれぞれ２つ以上持ち、複数のバッファメモリの圧縮／伸張作業が並行して行えると共に、伸張後の画素データを組合せて記録部に出力できるようにしたことを特徴とする請求項６記載の画像記録装置。」を、
「【請求項１０】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備するとともに、前記圧縮／伸張する手段と圧縮したデータを保持する手段をそれぞれ２つ以上持ち、展開された画像情報を圧縮した状態のデータで保持するように構成し、複数のバッファメモリの圧縮／伸張作業が並行して行えると共に、伸張後の画素データを組合せて記録部に出力できるようにしたことを特徴とする画像記録装置。」に訂正する。
　
シ．訂正事項ｌ
　「【請求項１２】　前記圧縮／伸張する手段と圧縮したデータを保持する手段をそれぞれ２つ以上持ち、記録部からのクロックに同期して前記保持する手段から圧縮データを読み出して前記圧縮／伸張する手段で伸張しラインバッファに送ることを特徴とする請求項６記載の画像記録装置。」を、
「【請求項１１】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備するとともに、前記圧縮／伸張する手段と圧縮したデータを保持する手段をそれぞれ２つ以上持ち、展開された画像情報を圧縮した状態のデータで保持するように構成し、記録部からのクロックに同期して前記保持する手段から圧縮データを読み出して前記圧縮／伸張する手段で伸張しラインバッファに送ることを特徴とする画像記録装置。」に訂正する。
　
（２）訂正の目的の適否、新規事項の有無及び拡張・変更の在否
　訂正事項ａ〜ｌの訂正について、その訂正の適否を検討する。
　
　訂正事項ａについては、特許請求の範囲の請求項１を削除するものであるから、特許請求の範囲の減縮を目的とした訂正に該当する。
　
　訂正事項ｂについて、「請求項２」を「請求項１」とする訂正は、訂正事項ａで請求項１が削除されたことに伴い項数を繰り上げたものであって、訂正事項と整合を図るものであるから、明瞭でない記載の釈明を目的とした訂正に該当する。
　「ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段、」及び「を具備し、」を追加し、「行うようにした」を「行って展開された画像情報を圧縮した状態のデータで保持するように構成し、」と訂正し、また、「請求項１記載の」を削除する訂正は、訂正事項ａにより請求項１が削除されたことに伴って記載形式を独立形式へ変更するものであって、訂正事項と整合を図るものであるから、明瞭でない記載の釈明を目的とした訂正に該当する。
　「ブロック分けし、」を「ブロックに分割して管理するブロック管理手段、」に訂正し、また、「ブロック管理手段は、前記圧縮する手段によりブロックを圧縮し展開と同時並行で前記圧縮データを保持する手段のブロックに書き込み処理を行い、」を追加する訂正は、「ブロック管理手段」を含む構成に限定しようとするものであって、特許明細書の段落【００１１】「ブロック管理部３は、翻訳部２…からの画像情報を所定のブロックに分割して管理する…」なる記載及び段落【００１４】「ブロック管理部３において、…圧縮／伸張部５により…ブロック…を圧縮し…展開と同時並行で圧縮データ保持用メモリのブロック…に書き込み処理を行う。」なる記載に依拠したものであるから、特許請求の範囲の減縮を目的とした訂正に該当する。
　また、「ラインバッファ」、「前記圧縮したデータを保持する手段の圧縮データを記録部へ出力する場合には、圧縮データを前記圧縮したデータを保持する手段から読み出して伸張し、ラインバッファに格納する」を追加する訂正は、「ラインバッファ」を含む構成に限定しようとするものであって、特許明細書の段落【００１１】「圧縮データ保持用メモリ６の圧縮データを記録部８へ出力する場合には、圧縮データを圧縮データ保持用メモリ６から読み出して…伸張し、ラインバッファ７に格納する。」なる記載や、ラインバッファの存在については特許明細書の図１などの記載に依拠したものであるから、特許請求の範囲の減縮を目的とした訂正に該当する。
　
　訂正事項ｃについて、「請求項３」を「請求項２」とする訂正は、訂正事項ａで請求項１が削除されたことに伴い項数を繰り上げたものであって、訂正事項と整合を図るものであるから、明瞭でない記載の釈明を目的とした訂正に該当する。
　「ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段、」、「前記展開する手段により画像情報が展開される１ページのメモリ空間を」、「を具備し、」、及び「ブロック単位で圧縮を行って展開された画像情報を圧縮した状態のデータで保持するように構成し、」を追加し、「請求項２記載の」を削除する訂正は、訂正事項ａにより請求項１が削除されたことに伴って記載形式を独立形式へ変更するものであって、訂正事項と整合を図るものであるから、明瞭でない記載の釈明を目的とした訂正に該当する。
　「少なくとも２つ以上」を「２つ」とする訂正は、バッファメモリの個数を２つに限定しようとするものであって、特許明細書の段落【００１１】「バッファメモリ４−１、４−２」なる記載及び図１の記載などに依拠したものであるから、特許請求の範囲の減縮を目的とした訂正に該当する。
　「ブロックに分割して管理するブロック管理手段」を追加する訂正、および「つ」を「ち、ブロック管理手段は、ブロックの画像情報を一方のバッファメモリに展開し、前記圧縮する手段によりブロックを圧縮し展開と同時並行で前記圧縮データを保持する手段のブロックに書き込み処理を行い、」とする訂正は、「ブロック管理手段」を含む構成に限定しようとするものであって、特許明細書の段落【００１１】「ブロック管理部３は、翻訳部２…からの画像情報を所定のブロックに分割して管理する…」なる記載、及び、段落【００１４】「ブロック管理部３において、…画像情報をバッファメモリ４−１に展開する。…このときのバッファメモリ４−１の内容は、圧縮／伸張部５により圧縮データ保持用メモリ６のブロック（１，１）を伸張したのと合成し、その結果を圧縮しバッファメモリ４−２への展開と同時並行で圧縮データ保持用メモリのブロック（１，１）に書き込み処理を行う。」なる記載に依拠したものであるから、特許請求の範囲の減縮を目的とした訂正に該当する。
　また、「一方のバッファメモリに展開するとともに他方のバッファメモリの内容を前記圧縮する手段により圧縮し、２つのバッファメモリに交互に展開及び展開した結果の圧縮を行う」なる記載を追加する訂正は、２つのバッファメモリの構成を限定しようとするものであって、特許明細書の段落【００１５】「バッファメモリ４一１に展開する…このときもバッファメモリ４一２の内容は、圧縮／伸張部５により圧縮し…」なる記載及び段落【００１６】「このようにして、バッファメモリ４一１とバッファメモリ４一２に交互に展開し…展開した結果を圧縮…」なる記載に依拠したものであるから、特許請求の範囲の減縮を目的とした訂正に該当する。
　
　訂正事項ｄについて、「請求項４」を「請求項３」とする訂正、及び、「請求項２記載の」を「請求項１記載の」とする訂正は、訂正事項ａで請求項１が削除されたことに伴い項数を繰り上げたものであって、訂正事項と整合を図るものであるから、明瞭でない記載の釈明を目的とした訂正に該当する。
　
　訂正事項ｅについて、「請求項５」を「請求項４」とする訂正は、訂正事項ａで請求項１が削除されたことに伴い項数を繰り上げたものであって、訂正事項と整合を図るものであるから、明瞭でない記載の釈明を目的とした訂正に該当する。
　「ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段を具備し、前記展開する手段により画像情報が展開される１ページのメモリ空間をブロック分けし、ブロック単位で圧縮を行って、展開された画像情報を圧縮した状態のデータで保持するとともに、前記展開する手段は、画像情報が展開される１ページのメモリ空間をブロック分けした１ブロックと同等のサイズを持ったバッファメモリを少なくとも２つ以上持ち、」を追加する訂正、及び、「請求項３記載の」を削除する訂正は、訂正事項ａにより請求項１が削除されたことに伴って記載形式を独立形式へ変更するものであって、訂正事項と整合を図るものであるから、明瞭でない記載の釈明を目的とした訂正に該当する。
　
　訂正事項ｆについて、「請求項６」を「請求項５」とする訂正は、訂正事項ａで請求項１が削除されたことに伴い項数を繰り上げたものであって、訂正事項と整合を図るものであるから、明瞭でない記載の釈明を目的とした訂正に該当する。
　「複数のバッファメモリ、」を追加し、「た」を「、画像情報を一つのバッファメモリに展開し、他のバッファメモリに展開するように切り替えられたら前記１つのバッファメモリの画像情報と前記圧縮／伸張する手段により前記圧縮したデータを保持する手段の圧縮データを伸張した画像情報とを合成し、その結果を圧縮し、前記他のバッファメモリへの展開と同時並行で前記圧縮したデータを保持する手段への書き込み処理を行う」とする訂正は、「複数のバッファメモリ」を含む構成に限定しようとするものであって、特許明細書の段落【００１４】「…画像情報をバッファメモリ４−１に展開する。そして、…バッファメモリ４−２に展開するように切り替える。なおこのときのバッファメモリ４−１の内容は、圧縮／伸張部５により圧縮データ保持用メモリ６のブロック（１，１）を伸張したのと合成し、その結果を圧縮しバッファメモリ４一２への展開と同時並行で圧縮データ保持用メモリのブロック（１，１）に書き込み処理を行う。」なる記載に依拠したものであるから、特許請求の範囲の減縮を目的とした訂正に該当する。
　
　訂正事項ｇについて、「請求項７」を「請求項６」とする訂正は、訂正事項ａで請求項１が削除されたことに伴い項数を繰り上げたものであって、訂正事項と整合を図るものであるから、明瞭でない記載の釈明を目的とした訂正に該当する。
　「ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成し、」を追加する訂正、及び、「請求項６記載の」を削除する訂正は、訂正事項ｆにより特許請求の範囲の請求項６が減縮されたことに伴って記載形式を独立形式へ変更するものであって、特許請求の範囲の記載の整合を図るものであるから、明瞭でない記載の釈明を目的とした訂正に該当する。
　「展開した画像情報と前記圧縮／伸張する手段により前記圧縮したデータを保持する手段の圧縮データを伸張した画像情報とを合成し、その結果を圧縮し、前記圧縮したデータを保持する手段への書き込み処理を行うとともに、」を追加する訂正は、展開した画像情報を、伸張した画像情報と合成し、その結果を圧縮して保持するという各手段間の構成について限定しようとするものであって、特許明細書の段落【００１４】「…画像情報をバッファメモリ４一１に展開…内容は、圧縮／伸張部５により圧縮データ保持用メモリ６のブロック（１，１）を伸張したのと合成し、その結果を圧縮し…圧縮データ保持用メモリ…に書き込み処理を行う。」なる記載に依拠したものであるから、特許請求の範囲の減縮を目的とした訂正に該当する。
　また、「うようにした」を「い、さらに、前記圧縮したデータを保持する手段の各ブロックが空白であるか否かを保持するレジス夕を持ち、このレジスタを参照して該当するブロックが空白の場合には、伸張、合成の処理を行わずバッファメモリの内容を直接圧縮して前記圧縮したデータを保持する手段の該当するブロックに書き込む」とする訂正は、「各ブロックが空白であるか否かを保持するレジスタ」を含む構成に限定しようとするものであって、特許明細書の段落【００２４】「圧縮データ保持用メモリの各ブロックが…空白であるか否かを保持するレジスタを持ち、このレジスタを参照して該当するブロックが空白の場合には、伸張、合成の処理を行わずバッファメモリの内容を直接圧縮して圧縮データ保持用メモリの該当するブロックに書き込む…」なる記載に依拠したものであるから、特許請求の範囲の減縮を目的とした訂正に該当する。
　
　訂正事項ｈについて、「請求項８」を「請求項７」とする訂正は、訂正事項ａで請求項１が削除されたことに伴い項数を繰り上げたものであって、訂正事項と整合を図るものであるから、明瞭でない記載の釈明を目的とした訂正に該当する。
　「ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成し、」及び「前記展開する手段により画像情報が展開される１ページのメモリ空間をブロック分けし、ブロック単位で圧縮／伸張を行い、さらに、」を追加する訂正、及び、「請求項７記載の」を削除する訂正は、訂正事項ｇにより特許請求の範囲の請求項７が減縮されたことに伴って記載形式を独立形式へ変更するものであって、特許請求の範囲の記載の整合を図るものであるから、明瞭でない記載の釈明を目的とした訂正に該当する。
　「展開した画像情報と前記圧縮／伸張する手段により前記圧縮したデータを保持する手段の圧縮データを伸張した画像情報とを合成し、その結果を圧縮し、前記圧縮したデータを保持する手段への書き込み処理を行うとともに、」との記載を追加する訂正は、展開した画像情報を、伸張した画像情報と合成し、その結果を圧縮して保持するという各手段間の構成について限定しようとするものであって、特許明細書の段落【００１５】「バッファメモリ４−１に展開する…このときもバッファメモリ４−２の内容は、圧縮／伸張部５により圧縮し…」なる記載に依拠したものであるから、特許請求の範囲の減縮を目的とした訂正に該当する。
「画像情報が展開される１ページのメモリ空間をブロック分けした１」を「前記」と訂正する部分については、上記の訂正によって冗長となった不明瞭な記載を明瞭にするものであるから、明瞭でない記載の釈明を目的とした訂正に該当する。
　「少なくとも２つ以上」を「２つ」とする訂正は、バッファメモリの個数を２つに限定しようとするものであって、特許明細書の段落【００１１】「バッファメモリ４−１、４−２」なる記載及び図１の記載などに依拠したものであるから、特許請求の範囲の減縮を目的とした訂正に該当する。
　また、「つ」を「ち、一方のバッファメモリに展開するとともに他方のバッファメモリの内容を前記圧縮する手段により圧縮し、２つのバッファメモリに交互に展開及び展開した結果の圧縮を行う」とする訂正は、２つのバッファメモリの構成を限定しようとするものであって、特許明細書の段落【００１５】「バッファメモリ４−１に展開する…このときもバッファメモリ４−２の内容は、圧縮／伸張部５により圧縮し…」なる記載及び段落【００１６】「このようにして、バッファメモリ４−１とバッファメモリ４−２に交互に展開し…展開した結果を圧縮…」なる記載に依拠したものであるから、特許請求の範囲の減縮を目的とした訂正に該当する。
　
　訂正事項ｉについて、「請求項９」を「請求項８」とする訂正は、訂正事項ａで請求項１が削除されたことに伴い項数を繰り上げたものであって、訂正事項と整合を図るものであるから、明瞭でない記載の釈明を目的とした訂正に該当する。
　「ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成し、」、「前記展開する手段は、画像情報が展開される１ページのメモリ空間をブロック分けした１ブロックと同等のサイズを持ったバッファメモリを少なくとも２つ以上持ち、」、「画像情報が展開される１ページのメモリ空間をブロック分けし、ブロック単位で圧縮／伸張を行うようにしたものであり、」なる記載を追加する訂正、及び、「請求項８記載の」を削除する訂正は、訂正事項ｈにより特許請求の範囲の請求項８が減縮されたことに伴って記載形式を独立形式へ変更するものであって、特許請求の範囲の記載の整合を図るものであるから、明瞭でない記載の釈明を目的とした訂正に該当する。
　
　訂正事項ｊについて、「請求項１０」を「請求項９」とする訂正は、訂正事項ａで請求項１が削除されたことに伴い項数を繰り上げたものであって、訂正事項と整合を図るものであるから、明瞭でない記載の釈明を目的とした訂正に該当する。
　「ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段、」、「を具備し、展開された画像情報を圧縮した状態のデータで保持するように構成し、」、「前記展開する手段により画像情報が展開される１ページのメモリ空間をブロック分けし、ブロック単位で圧縮／伸張を行い、さらに、」、「前記ブロックと同等のサイズを持ったバッファメモリを」なる記載を追加する訂正、及び、「請求項８記載の」を削除する訂正は、訂正事項ｈにより特許請求の範囲の請求項８が減縮されたことに伴って記載形式を独立形式へ変更するものであって、特許請求の範囲の記載の整合を図るものであるから、明瞭でない記載の釈明を目的とした訂正に該当する。
　「ラインバッファ」を追加し、また「する」を「し、前記圧縮したデータを保持する手段の圧縮データを記録部へ出力する場合には、圧縮データを前記圧縮したデータを保持する手段から読み出して前記圧縮／伸張する手段で伸張し、ラインバッファに格納する」とする訂正は、「ラインバッファ」を含む構成に限定しようとするものであって、特許明細書の段落【００１１】「圧縮データ保持用メモリ６の圧縮データを記録部８へ出力する場合には、圧縮データを圧縮データ保持用メモリ６から読み出して圧縮／伸張部５で伸張し、ラインバッファ７に格納する。」なる記載に依拠したものであるから、特許請求の範囲の減縮を目的とした訂正に該当する。
　「展開した画像情報と前記圧縮／伸張する手段により前記圧縮したデータを保持する手段の圧縮データを伸張した画像情報とを合成し、その結果を圧縮し、前記圧縮したデータを保持する手段への書き込み処理を行うとともに、」との記載を追加する訂正は、展開した画像情報を、伸張した画像情報と合成し、その結果を圧縮して保持するという各手段間の構成について限定しようとするものであって、特許明細書の段落【００１５】「…バッファメモリ４−１に展開する…このときもバッファメモリ４−６のブロック（２，１）を伸張したものと合成し、その結果を圧縮して圧縮データ保持用メモリ６…に書き込む。」なる記載に依拠したものであるから、特許請求の範囲の減縮を目的とした訂正に該当する。
　また、「２つ持ち、」を追加する訂正は、引用形式での記載において引用していた特許時の請求項８における「少なくとも２つ以上」の記載を「２つ」に訂正するものであり、バッファメモリの個数を２つに限定しようとするものであって、特許明細書の段落【００１１】「バッファメモリ４−１、４−２」なる記載及び図１の記載などに依拠したものであるから、特許請求の範囲の減縮を目的とした訂正に該当する。
　
　訂正事項ｋについて、「請求項１１」を「請求項１０」とする訂正は、訂正事項ａで請求項１が削除されたことに伴い項数を繰り上げたものであって、訂正事項と整合を図るものであるから、明瞭でない記載の釈明を目的とした訂正に該当する。
　「ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備するとともに、」、「展開された画像情報を圧縮した状態のデータで保持するように構成し、」なる記載を追加する訂正は、訂正事項ｆにより特許請求の範囲の請求項６が減縮されたことに伴って記載形式を独立形式へ変更するものであって、特許請求の範囲の記載の整合を図るものであるから、明瞭でない記載の釈明を目的とした訂正に該当する。
　
　訂正事項ｌについて、「請求項１２」を「請求項１１」とする訂正は、訂正事項ａで請求項１が削除されたことに伴い項数を繰り上げたものであって、訂正事項と整合を図るものであるから、明瞭でない記載の釈明を目的とした訂正に該当する。
　「ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備するとともに、」及び「展開された画像情報を圧縮した状態のデータで保持するように構成し、」を追加する訂正、及び、「請求項６記載の」を削除する訂正は、訂正事項ｆにより、特許請求の範囲の請求項６が減縮されたことに伴って記載形式を独立形式へ変更するものであって、特許請求の範囲の記載の整合を図るものであるから、明瞭でない記載の釈明を目的とした訂正に該当する。
　
　しかも、上記訂正事項ａ〜ｌの訂正は、いずれも、新規事項の追加に該当せず、実質的に特許請求の範囲を拡張又は変更するものではない。
　
（３）むすび
　以上のとおりであるから、上記訂正は、特許法第１２０条の４第２項および同条第３項によって準用する同第１２６条第２項及び第３項の規定に適合するので、当該訂正を認める。
　
　
３．特許異議の申立について
（１）本件発明
　訂正が認められるので、特許第３２０３６６０号の請求項１〜３、５〜９に係る発明は、訂正明細書の特許請求の範囲の請求項１〜３、５〜９に記載された次のとおりのものと認められる。
　
「【請求項１】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段、前記展開する手段により画像情報が展開される１ページのメモリ空間をブロックに分割して管理するブロック管理手段、ラインバッファを具備し、ブロック管理手段は、前記圧縮する手段によりブックを圧縮し展開と同時並行で前記圧縮データを保持する手段のブロックに書き込み処理を行い、ブロック単位で圧縮を行って展開された画像情報を圧縮した状態のデータで保持するように構成し、前記圧縮したデータを保持する手段の圧縮データを記録部へ出力する場合には、圧縮データを前記圧縮したデータを保持する手段から読み出して伸張し、ラインバッファに格納することを特徴とする画像記録装置。
　
【請求項２】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段、前記展開する手段により画像情報が展開される１ページのメモリ空間をブロックに分割して管理するブロック管理手段を具備し、ブロック単位で圧縮を行って展開された画像情報を圧縮した状態のデータで保持するように構成し、前記展開する手段は、画像情報が展開される１ページのメモリ空間をブロック分けした１ブロックと同等のサイズを持ったバッファメモリを２つ持ち、ブロック管理手段は、ブロックの画像情報を一方のバッファメモリに展開し、前記圧縮する手段によりブロックを圧縮し展開と同時並行で前記圧縮データを保持する手段のブロックに書き込み処理を行い、一方のバッファメモリに展開するとともに他方のバッファメモリの内容を前記圧縮する手段により圧縮し、２つのバッファメモリに交互に展開及び展開した結果の圧縮を行うことを特徴とする画像記録装置。
　
【請求項３】　前記ブロックのサイズは、縦横の長さが２のべき乗の画素数であることを特徴とする請求項１記載の画像記録装置。
　
【請求項５】　ページ記述言語で記述された文章や図形を解読して画像情報に展開し、画像情報として出力することが可能になった画像記録装置において、ページ記述言語で記述された文章や図形を解読して画像情報に展開する手段、複数のバッファメモリ、展開した画像情報を圧縮/伸張する手段、圧縮したデータを保持する手段を具備し、展開された画像情報を圧縮した状態のデータで保持するように構成し、画像情報を一つのバッファメモリに展開し、他のバッファメモリに展開するように切り替えられたら前記１つのバッファメモリの画像情報と前記圧縮／伸張する手段により前記圧縮したデータを保持する手段の圧縮データを伸張した画像情報とを合成し、その結果を圧縮し、前記他のバッファメモリへの展開と同時並行で前記圧縮したデータを保持する手段への書き込み処理を行うことを特徴とする画像記録装置。
　
【請求項６】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成し、展開した画像情報と前記圧縮／伸張する手段により前記圧縮したデータを保持する手段の圧縮データを伸張した画像情報とを合成し、その結果を圧縮し、前記圧縮したデータを保持する手段への書き込み処理を行うとともに、前記展開する手段により画像情報が展開される１ページのメモリ空間をブロック分けし、ブロック単位で圧縮／伸張を行い、さらに、前記圧縮したデータを保持する手段の各ブロックが空白であるか否かを保持するレジスタを持ち、このレジスタを参照して該当するブロックが空白の場合には、伸張、合成の処理を行わずバッファメモリの内容を直接圧縮して前記圧縮したデータを保持する手段の該当するブロックに書き込むことを特徴とする画像記録装置。
　
【請求項７】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成し、展開した画像情報と前記圧縮／伸張する手段により前記圧縮したデータを保持する手段の圧縮データを伸張した画像情報とを合成し、その結果を圧縮し、前記圧縮したデータを保持する手段への書き込み処理を行うとともに、前記展開する手段により画像情報が展開される１ページのメモリ空間をブロック分けし、ブロック単位で圧縮／伸張を行い、さらに、前記展開する手段は、前記ブロックと同等のサイズを持ったバッファメモリを２つ持ち、一方のバッファメモリに展開するとともに他方のバッファメモリの内容を前記圧縮する手段により圧縮し、２つのバッファメモリに交互に展開及び展開した結果の圧縮を行うことを特徴とする画像記録装置。
　
【請求項８】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成し、前記展開する手段は、画像情報が展開される１ページのメモリ空間をブロック分けした１ブロックと同等のサイズを持ったバッファメモリを少なくとも２つ以上持ち、画像情報が展開される１ページのメモリ空間をブロック分けし、ブロック単位で圧縮／伸張を行うようにしたものであり、前記展開する手段により、展開作業の終了しているバッファメモリの中から１つ以上を選択して圧縮データ保持用メモリの該当するブロックの伸張したデータと合成し、圧縮／伸張する手段により、合成した結果を圧縮して前記該当するブロックに格納し、バッファメモリを使用可能とすることを特徴とする画像記録装置。
　
【請求項９】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段、ラインバッファを具備し、展開された画像情報を圧縮した状態のデータで保持するように構成し、展開した画像情報と前記圧縮／伸張する手段により前記圧縮したデータを保持する手段の圧縮データを伸張した画像情報とを合成し、その結果を圧縮し、前記圧縮したデータを保持する手段への書き込み処理を行うとともに、前記展開する手段により画像情報が展開される１ページのメモリ空間をブロック分けし、ブロック単位で圧縮／伸張を行い、さらに、前記展開する手段は、前記ブロックと同等のサイズを持ったバッファメモリを２つ持ち、展開しようとするブロックに対応する圧縮データ保持用メモリの圧縮データを圧縮／伸張する手段により伸長してバッファメモリに保持し、該バッファメモリに合成しながら画像情報を展開し、前記圧縮したデータを保持する手段の圧縮データを記録部へ出力する場合には、圧縮データを前記圧縮したデータを保持する手段から読み出して前記圧縮／伸張する手段で伸張し、ラインバッファに格納するようにしたことを特徴とする画像記録装置。」
　
（２）申立て理由の概要
　申立人市東勇は、証拠として、甲第１号証（特表開１−５０３６５２号公報）を提出し、請求項１、６に係る発明は、特許法第２９条第１項第３号に該当し、又は、特許法第２９条第２項の規定に違反してなされたものであるから、特許を取り消すべき旨主張している。
　また、申立人神田泰貴は、証拠として、甲第１号証（特開昭６２−２０４９５５号公報）、甲第２号証（特開平１−２６５７７９号公報）、甲第３号証（特開平２−３０５６１号公報）、甲第４号証（特開平４−８８５７１号公報）を提出し、請求項１、２、４、６及び７に係る発明は、甲第１〜３号証に記載された発明から容易に発明することができたものであるから、特許法第２９条第２項の規定に違反してなされたものであり、請求項１〜４、６〜１０に係る発明は、甲第４号証記載の発明と同一であるから、特許法第２９条の２の規定に違反してなされたものであるから、特許を取り消すべき旨主張している。
　
（３）当審が通知した取消理由の概要
　当審が平成１４年４月２４日付けで通知した取消理由は、刊行物１（特表平１−５０３６５２号公報）（異議申立人市東勇が引用した甲第１号証）、刊行物２（特開昭６２−２０４９５５号公報）（異議申立人神田泰貴が引用した甲第１号証）、刊行物３（特開平１−２６５７７９号公報）（異議申立人神田泰貴が引用した甲第２号証）、刊行物４（特開平２−３０５６１号公報）（異議申立人神田泰貴が引用した甲第３号証）、刊行物５（特開昭６３−６７９６５号公報）、及び、刊行物６（特願平２−２０４７９５号（特開平４−８８５７１号公報））（異議申立人神田泰貴が引用した甲第４号証）を引用し、その理由は、以下のものであった。
　本件出願の請求項１〜４、６〜８に係る発明は、その出願前日本国内または外国において頒布された刊行物１〜５に記載された発明に基づいて、その出願前にその発明の属する技術の分野における通常の知識を有する者が容易に発明をすることができたものであるから、特許法第２９条第２項の規定により特許を受けることができない。
　また、本件出願の請求項１〜４、６〜１０に係る発明は、その出願の日前の特許出願であって、その出願後に刊行物６として出願公開がされた特許出願の願書に最初に添付された明細書又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により特許を受けることができない。
　
（４）刊行物に記載された発明
（刊行物１）
　刊行物１（特表平１−５０３６５２号公報）には、
「文字符号信号を画素ごとの印刷のためにラスタ化ビデオデータ流に変換し、所望数のページ順の書類の組を作成することが必要とされるたびごとに、記憶画像データを適当な順序で印刷のために提供する電子式プリンタにおいて、
　文字符号信号を画素ごとの印刷のためにラスタ化ビデオデータ流に変換するラスタ画像処理装置（ＲＩＰ）１０、
　ＲＩＰ１０により展開された画像情報を圧縮するデータ圧縮器１２、
　データ圧縮器１２により圧縮された画像情報を保持するバッファ３２、及び、
　多ページ画像バッファ１４からの圧縮データ流を検索して出力データを原始形式へ復元する伸張器２０を具備し、
　ＲＩＰ１０により展開された画像情報をデータ圧縮器１２で圧縮し、バッファ３２で保持するように構成した電子式プリンタ」（以下、「刊行物１記載の発明」という）
が記載されている（第３頁上右欄第１５〜１７行、第２頁下右欄第２１〜２３行、第２頁下右欄第２４及び２５行、第３頁上左欄第２５行〜上右欄第２行、第３頁上左欄第１３行〜１７行など）。
　
（刊行物２）
　刊行物２（特開昭６２−２９４９５５号公報）には、
「文字コードをビットイメージの文字画像に変換してメモリ上に描画し、そのデータを画像出力装置に供給する文字画像発生回路において、
　文字画像のビットイメージを記憶するための、１ページ分のビットイメーンデータの容量より小さい所定の容量を有するビット記憶手段にビットイメージのデータを描画する描画手段、
　ビット記憶手段に格納されたデータを、１ページ分の文字コードのデータを複数の単位に分割して、各単位ごとに、所定の方式で圧縮するデータ圧縮手段、
　データ圧縮手段により圧縮された１ページ分のデータを格納できる容量を有する圧縮データ記憶手段、及び、
　第２メモリ１５の内容をＣＤＡＴＡ０〜７のラインを介して順次読み出し、ドットデータに復元する復元回路１６を具備し、
　描画したビットイメージのデータを所定の方式で圧縮し格納する文字画像発生回路」（以下、「刊行物２記載の発明」という）
が記載されている（第２頁上右欄第１２行〜下左欄第１０行、第２頁下右欄第８行〜第３頁上左欄第４行、第３頁上右欄第４〜２０行など）。
　
（刊行物３）
　刊行物３（特開平１−２６５７７９号公報）には、
「少ない画像展開用のメモリを使用して、ページ記述言語により、文章や図形を出力できる記録装置を提供するために、
　ホストコンピュータ４により通信されるページ記述言語はＰＤＬ記憶用ＲＡＭに一旦記憶され、必要に応じてＣＰＵ３０１が解読し、メモリ圧縮、伸張回路で圧縮した上で、画像用ＲＡＭ３１１上に画素情報として展開し、
　メモリ圧縮、伸張回路で伸張した上で、順次用紙に印字する記憶装置」（以下、「刊行物３記載の発明」という）
が記載されている（第１頁下左欄第１８行〜下右欄第２０行、第２頁上左欄第９〜１２行、第２頁上右欄第１０〜１３行、第２頁下左欄第１４〜１８行）、第３頁上左欄第２〜１８行、第３頁下左欄第４〜５行など）。
　
（刊行物４）
　刊行物４（特開平２−３０５６１号公報）には、
「線画画像を４×４の画素ブロック単位に圧縮して画像メモリ７に格納する構成」（以下、「刊行物４記載の発明」という）
が記載されている（第３頁下右欄第２〜３行など）。
　
（刊行物５）
　刊行物５（特開昭６３−６７９６５号公報）には、
「ブロック単位で画像情報を圧縮するために、圧縮する手段の前段に、１ブロックと同等の１６×１６画素サイズを持つバッファメモリを２つ設ける構成」（以下、「刊行物５記載の発明」という）
が記載されている（第２頁下右欄第１９行〜第３頁上右欄第１行など）。
　
（刊行物６）
　刊行物６（特願平２−２０４７９５号（特開平４−８８５７１号公報））の願書に最初に添付された明細書又は図面には、以下の記載がある。
　
（ア）「圧縮された画像データを記憶する手段と、
　前記記憶手段に記憶された圧縮画像データの一部を伸張し、伸張された画像データの少なくとも一部をホストからのコマンドデータに応じて変換された画像データに置換し、再度圧縮する処理手段と、
　前記処理手段により圧縮された画像データの量を検知する検知手段とを有することを特徴とする画像処理装置」（第１頁下左欄５〜１３行）
　
（イ）「このＡＤＣＴ方式を前述の画像記録装置の画像メモリとして用いた場合、フルカラーの自然画像を、通常原始データ（非圧縮データ）で持つより１／１０〜１／２０のメモリ容量で済み、記録装置の総合コストを大幅に下げる事が可能となり、極めて有益である。」（第２頁上左欄第１６行〜上右欄第１行）
　
（ウ）「１はＰＤＬ言語のコマンド列を出力するホストコンピュータ、２はホストコンピュータ１より出力されたコマンド列を受け取り、解釈・実行するインタプリタ（中略）、３は下地のデータと２のＰＤＬインタプリタにより新たに生成された画像データとの合成器、４はＡＤＣＴによる圧縮を行う圧縮器、５は十分な量のメモリ量毎にブロック化して用いられる圧縮データメモリ、６は復号器、７は復号器６の出力を合成器３へ出力するのか、それとも図示しない記録装置の像形成部等へ出力するかを切り換えるマルチプレクサである」（第２頁下右欄第１〜１２行）
　
（エ）「ホストコンピュータ１よりポストスクリプトのＰＤＬコマンドを受けると、ＰＤＬインタプリタ２は該コマンドにより変更になる画像部位を判定し、該当部位を含むブロックラスタのデータを逐次圧縮メモリ５より読み出し、復号出力する様にアドレスコントローラ８及び６の復号器を制御する。同時にマルチプレクサ７を制御し、復号器６で復号されたデータを合成器３へ出力させる。ＰＤＬインタプリタ２は加えて合成器３をもコントロールし、復号器６よりの復号データを入力し、バッファに蓄える様に設定する。ＰＤＬインタプリタ２は復号データの取り込みが完了したブロックラスタに対して、このブロックラスタの画素位置に該当する領域に前述のコマンドにより生成される新データを上書きする。該ブロックラスタ領域に該当するデータを書き終えると、再度該ブロックラスタ領域を圧縮器４にて圧縮し、圧縮メモリ５の該当位置に格納し直す様に合成器３、圧縮器４及びアドレスコントローラ８をコントロールする。以上の手順を必要となるブロックラスタ全てに亙り繰り返し実行するものである」（第２頁下右欄第１７行〜第３頁上左欄第１７行）
　
（オ）「第１図（ｂ）は上記第１図（ａ）のインターフェース部を含むシステム全体の構成を示す図であり、１はホストコンピュータ、１０１は第１図（ａ）に示すインターフェース部、１０２は出力信号の制御を行う出力コントローラ、（中略）１０５は感光体上にレーザービームを照射して潜像を形成し、これを可視画像形成するレーザービームプリンタ」（第３頁上左欄第１８行〜上右欄第７行）
　
（カ）「第２図は、第１図（ａ）の３に示される合成器の構成例である。２１、２２、２３は各々８本のラスターバッファより成り、各々がブロックラスタ一本分の復号済データを保持できる容量を有している。２４はセレクタであり、２のＰＤＬインタプリタらの出力データ２７と６の復号器により復号されてセレクタ７を経由して入力されている信号データ２８とを、ＰＤＬインタプリタ２よりコントロールされるセレクタコントローラ２６により出力される信号２９に基づき前述２１、２２、２３の８ラインバッファのいずれかの相異なる８ラインバッファにそれぞれ独立に接続させるものである。また同じく２５もセレクタであり、前述８ラインバッファ２１、２２、２３のうちの一つを選択出力するものである」（第３頁上右欄第１０行〜下左欄第３行）
　
（キ）「ＰＤＬインタプリタ２が新しいバッファに対してデータを書き込みたい旨要求信号を出すと、セレクタコントローラ２６は８ラインバッファの２１、２２、２３を要求信号が来るたびに２１→２２→２３→２１→…の順に切り替えて信号線群２７と接続する。同時に２２→２３→２１→２２→…の順に切り替えて信号線群２８と接続し、次にＰＤＬインタプリタの下地となるデータを復号して蓄える。また、同時にセレクタ２５を制御して２３→２１→２２→２３→…の順に切り替えて下地データ上にＰＤＬインタプリタからの上書きが完了したデータを符号器（圧縮器）４へ出力する」（第３頁下左欄第５〜１７行）
　
（ク）「下地データ上に上書きされたデータは、再度４の符号器へ転送され圧縮される。圧縮されたデータは符号器４より圧縮メモリ５へ出力され格納される」（第４頁上右欄第４〜７行）
　
（ケ）「ブロックラスタは各ブロックが８×８画素の単位で構成されて圧縮されている」（第４頁上右欄第１３〜１５行）
　
　上記（ア）〜（ケ）の記載からみて、刊行物６には、
「ホストコンピュータ１からのポストスクリプトのＰＤＬコマンドにより生成される新データを上書きし、記録装置の像形成部等へ出力する画像処理装置において、
　ホストコンピュータ１より出力されたコマンド列を受け取り、該コマンドにより変更になる画像部位を判定し、該当部位を含むブロックラスタのデータを逐次圧縮メモリ５より読み出し、復号出力する様にアドレスコントローラ８及び６の復号器を制御し、同時にマルチプレクサ７を制御し、復号器６で復号されたデータを合成器３へ出力させ、合成器３をもコントロールし、復号器６よりの復号データを入力し、バッファに蓄える様に設定し、復号データの取り込みが完了したブロックラスタに対して、このブロックラスタの画素位置に該当する領域に前述のコマンドにより生成される新データを上書きし、該ブロックラスタ領域に該当するデータを書き終えると、再度該ブロックラスタ領域を圧縮器４にて圧縮し、圧縮メモリ５の該当位置に格納し直す様に合成器３、圧縮器４及びアドレスコントローラ８をコントロールするインタプリタ２と、
　ＰＤＬコマンドにより変更になる画像部位を含むブロックラスタの下地のデータと２のＰＤＬインタプリタにより新たに生成された画像データとを合成し、該ブロックラスタ領域に該当するデータを、ＡＤＣＴによる圧縮を行う圧縮器４と、
　十分な量のメモリ量毎にブロック化して用いられ、該ブロックラスタ領域を該当する位置に格納する圧縮メモリ５を具備し、
　ブロックラスタは各ブロックが８×８画素の単位で構成されて圧縮され、
　ＰＤＬインタプリタ２が新しいバッファに対してデータを書き込みたい旨要求信号を出すと、セレクタコントローラ２６は８ラインバッファの２１、２２、２３を要求信号が来るたびに２１→２２→２３→２１→…の順に切り替えて信号線群２７と接続し、同時に２２→２３→２１→２２→…の順に切り替えて信号線群２８と接続し、次にＰＤＬインタプリタの下地となるデータを復号して蓄え、また、同時にセレクタ２５を制御して２３→２１→２２→２３→…の順に切り替えて下地データ上にＰＤＬインタプリタからの上書きが完了したデータを符号器（圧縮器）４へ出力し、
　復号器の出力を記録装置の像形成部等へ出力する画像処理装置」（以下、「刊行物６記載の先願発明」という）が記載されている。
　
（５）対比・判断
（本件請求項１に係る発明について）
　本件請求項１に係る発明と刊行物６記載の先願発明とを対比すると、
　
（あ）刊行物６記載の先願発明の「ホストコンピュータ１からのポストスクリプトのＰＤＬコマンドにより生成される新データを上書きし、記録装置の像形成部等へ出力する画像処理装置」は、「ポストスクリプトのＰＤＬコマンド」により記述可能なデータが文章や図形であることは明らかであることに鑑みると、本件請求項１に係る発明の「ページ記述言語で記述された文章や図形を解読して画像情報に展開し、画像情報として出力することが可能になった画像記録装置」と相違しない。
　
（い）刊行物６記載の先願発明の「インタプリタ２」は、ホストコンピュータ１より出力されたコマンド列を受け取り、ブロックラスタの画素位置に該当する領域に前述のコマンドにより生成される新データを上書きすると共に、該ブロックラスタ領域に該当するデータを書き終えると、再度該ブロックラスタ領域を圧縮器４にて圧縮し、圧縮メモリ５の該当位置に格納し直す様に合成器３、圧縮器４及びアドレスコントローラ８をコントロールし、ブロックラスタは各ブロックが８×８画素の単位で構成されて圧縮されているから、本件請求項１に係る発明の「ページ記述言語で記述された文章や図形を解読して画像情報に展開する手段」及び「前記展開する手段により画像情報が展開される１ページのメモリ空間をブロックに分割して管理するブロック管理手段」と相違しない。
　また、刊行物６記載の先願発明の「インタプリタ２」が、アドレスコントローラ８及び６の復号器を制御し、同時にマルチプレクサ７を制御し、また、合成器３、圧縮器４及びアドレスコントローラ８をコントロールするとともに、刊行物６記載の先願発明は、ＰＤＬインタプリタ２が新しいバッファに対してデータを書き込みたい旨要求信号を出すと、セレクタコントローラ２６は８ラインバッファの２１、２２、２３を要求信号が来るたびに２１→２２→２３→２１→…の順に切り替えて信号線群２７と接続し、同時に２２→２３→２１→２２→…の順に切り替えて信号線群２８と接続し、次にＰＤＬインタプリタの下地となるデータを復号して蓄え、また、同時にセレクタ２５を制御して２３→２１→２２→２３→…の順に切り替えて下地データ上にＰＤＬインタプリタからの上書きが完了したデータを符号器（圧縮器）４へ出力する動作を奏し、ブロックラスタは各ブロックが８×８画素の単位で構成されて圧縮されているから、刊行物６記載の先願発明の「インタプリタ２」は、本件請求項１に係る発明の「前記圧縮する手段によりブロックを圧縮し展開と同時並行で前記圧縮データを保持する手段のブロックに書き込み処理を行」っているものと認められる。
　
（う）刊行物６記載の先願発明の「圧縮器４」は、復号データの取り込みが完了したブロックラスタに対して、このブロックラスタの画素位置に該当する領域にコマンドにより生成される新データを上書きし、該ブロックラスタ領域に該当するデータを書き終えると、再度該ブロックラスタ領域を圧縮しているから、刊行物６の先願発明の「展開した画像情報を圧縮する手段」と相違しない。
　
（え）刊行物６記載の先願発明の「圧縮メモリ５」は、復号データの取り込みが完了したブロックラスタに対して、このブロックラスタの画素位置に該当する領域に前述のコマンドにより生成される新データを上書きし、該ブロックラスタ領域に該当するデータを書き終えると、再度該ブロックラスタ領域を圧縮器４にて圧縮し、圧縮メモリ５の該当位置に格納し直しているから、刊行物６記載の先願発明の「圧縮したデータを保持する手段」と相違しない。
　
（お）刊行物６記載の先願発明は、復号データの取り込みが完了したブロックラスタに対して、このブロックラスタの画素位置に該当する領域に前述のコマンドにより生成される新データを上書きし、該ブロックラスタ領域に該当するデータを書き終えると、再度該ブロックラスタ領域を圧縮器４にて圧縮し、圧縮メモリ５の該当位置に格納し直している。
　そして、ブロックラスタは各ブロックが８×８画素の単位で構成されて圧縮され、圧縮メモリは十分な量のメモリ量毎にブロック化して用いられているから、「ブロック単位で圧縮を行って展開された画像情報を圧縮した状態のデータで保持するように構成し」ている点で、刊行物６記載の先願発明は本件請求項１と相違しない。
　
（か）刊行物６記載の先願発明は、復号器の出力を記録装置の像形成部等へ出力しており、該出力が圧縮メモリ５から圧縮されたデータを記録装置の像形成部等へ出力する場合に行われていること、及び、復号器にて圧縮されたデータが圧縮メモリ５から読み出されてデータの伸張が行われていることは明らかであるから、刊行物６記載の先願発明の「前記圧縮したデータを保持する手段の圧縮データを記録部へ出力する場合には、圧縮データを前記圧縮したデータを保持する手段から読み出して伸張し」ている点で、刊行物６記載の先願発明は本件請求項１と相違しない。
　
　したがって、本件請求項１に係る発明と刊行物６記載の先願発明とは、
「ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段、前記展開する手段により画像情報が展開される１ページのメモリ空間をブロックに分割して管理するブロック管理手段を具備し、ブロック管理手段は、前記圧縮する手段によりブックを圧縮し展開と同時並行で前記圧縮データを保持する手段のブロックに書き込み処理を行い、ブロック単位で圧縮を行って展開された画像情報を圧縮した状態のデータで保持するように構成し、前記圧縮したデータを保持する手段の圧縮データを記録部へ出力する場合には、圧縮データを前記圧縮したデータを保持する手段から読み出して伸張することを特徴とする画像記録装置。」である点で一致し、次の点で相違する。
　
　本件請求項１に係る発明は、「ラインバッファ」を具備し、「前記圧縮したデータを保持する手段の圧縮データを記録部へ出力する場合には、圧縮データを前記圧縮したデータを保持する手段から読み出して伸張し、ラインバッファに格納」しているのに対して、刊行物６記載の先願発明は、ラインバッファを具備し、圧縮データを出力する場合には、伸張してラインバッファに格納している否かについて、記載されていない点。
　
　しかしながら、画像処理装置から出力されるデータのデータ速度は記録装置のプリント速度と比較して高速であるため、この速度の違いを緩衝させるために画像処理装置の出力段などにメモリバッファを設けなければならないことは当業者であれば明らかであるとともに、画像処理装置における記録装置への出力段に設けるメモリバッファとして、ラインバッファやフレームバッファを用いることが周知となっている。
　そして、刊行物６の上記（イ）の記載からみて、刊行物６記載の先願発明が、より小容量のメモリを使用することでコストの削減を図ることも目的の一つとしていることは明らかであるから、該刊行物６記載の先願発明では小容量・低コストなラインバッファが用いられることは明らかである。
　このため、刊行物６記載の先願発明は、明確な記載はないものの、出力段にラインバッファを備え、データの出力する場合は、出力データを該ラインバッファへ一旦格納し、該格納したデータを記録装置がプリント可能な速度で出力することは明らかである。
　
　よって、上記の相違は形式上の相違にすぎず、本件請求項１に係る発明と刊行物６記載の先願発明とは実質的には同一の発明であると認められる。
　
（請求項２に係る発明について）
　本件請求項２に係る発明と刊行物２記載の発明とを対比すると、刊行物２記載の発明は、本件請求項２に係る発明の「前記展開する手段は、画像情報が展開される１ページのメモリ空間をブロック分けした１ブロックと同等のサイズを持ったバッファメモリを２つ持ち、ブロック管理手段は、ブロックの画像情報を一方のバッファメモリに展開し、前記圧縮する手段によりブロックを圧縮し展開と同時並行で前記圧縮データを保持する手段のブロックに書き込み処理を行い、一方のバッファメモリに展開するとともに他方のバッファメモリの内容を前記圧縮する手段により圧縮し、２つのバッファメモリに交互に展開及び展開した結果の圧縮を行う」構成を具備していない。そして、刊行物１、３〜５は、本件発明の上記構成については記載するものでないばかりか示唆するものでもない。
　しかも、該構成により、「バッファメモリ、圧縮データ保持用メモリの記憶容量を低減することができる」といった顕著な作用効果を奏するものと認められる。
　してみると、本件請求項２に係る発明は、刊行物２記載の発明でないばかりか、刊行物１〜５記載の発明に基づいて当業者が容易に発明できたものでもない。
　
　また、本件請求項２に係る発明と刊行物６記載の先願発明とを対比すると、刊行物６記載の先願発明は、本件請求項２に係る発明の「前記展開する手段は、画像情報が展開される１ページのメモリ空間をブロック分けした１ブロックと同等のサイズを持ったバッファメモリを２つ持ち、ブロック管理手段は、ブロックの画像情報を一方のバッファメモリに展開し、前記圧縮する手段によりブロックを圧縮し展開と同時並行で前記圧縮データを保持する手段のブロックに書き込み処理を行い、一方のバッファメモリに展開するとともに他方のバッファメモリの内容を前記圧縮する手段により圧縮し、２つのバッファメモリに交互に展開及び展開した結果の圧縮を行う」構成を具備していない。
　このため、本件請求項２に係る発明は刊行物６記載の先願発明と同一の発明ではない。
　
（請求項３に係る発明について）
　刊行物６記載の先願発明は、ブロックラスタは各ブロックが８×８画素の単位で構成されて圧縮されており、該刊行物６記載の先願発明においても、「ブロックのサイズは、縦横の長さが２のべき乗の画素数である」ものと認められるから、請求項１で検討した相違以外の相違は認められない。
　そして、請求項１で検討した相違は形式上の相違にすぎないから、本件請求項３に係る発明と刊行物６記載の先願発明は実質的には同一の発明であると認められる。
　
（請求項５に係る発明について）
　本件請求項５に係る発明と刊行物２記載の発明とを対比すると、刊行物２記載の発明は、本件請求項５に係る発明の「複数のバッファメモリ」及び「画像情報を一つのバッファメモリに展開し、他のバッファメモリに展開するように切り替えられたら前記１つのバッファメモリの画像情報と前記圧縮／伸張する手段により前記圧縮したデータを保持する手段の圧縮データを伸張した画像情報とを合成し、その結果を圧縮し、前記他のバッファメモリへの展開と同時並行で前記圧縮したデータを保持する手段への書き込み処理を行う」構成を具備していない。そして、刊行物１、３〜５は、本件発明の上記構成については記載するものでないばかりか示唆するものでもない。
　しかも、該構成により、「バッファメモリ、圧縮データ保持用メモリの記憶容量を低減することができる」といった顕著な作用効果を奏するものと認められる。
　してみると、本件請求項５に係る発明は、刊行物２記載の発明でないばかりか、刊行物１〜５記載の発明に基づいて当業者が容易に発明できたものでもない。
　
　また、本件請求項５に係る発明と刊行物６記載の先願発明とを対比すると、刊行物６記載の先願発明は、本件請求項５に係る発明の「画像情報を一つのバッファメモリに展開し、他のバッファメモリに展開するように切り替えられたら前記１つのバッファメモリの画像情報と前記圧縮／伸張する手段により前記圧縮したデータを保持する手段の圧縮データを伸張した画像情報とを合成し、その結果を圧縮し、前記他のバッファメモリへの展開と同時並行で前記圧縮したデータを保持する手段への書き込み処理を行う」構成を具備していない。
　このため、本件請求項５に係る発明は刊行物６記載の先願発明と同一の発明ではない。
　
（請求項６に係る発明について）
　本件請求項６に係る発明と刊行物２記載の発明とを対比すると、刊行物２記載の発明は、本件請求項６に係る発明の「前記圧縮したデータを保持する手段の各ブロックが空白であるか否かを保持するレジスタを持ち、このレジスタを参照して該当するブロックが空白の場合には、伸張、合成の処理を行わずバッファメモリの内容を直接圧縮して前記圧縮したデータを保持する手段の該当するブロックに書き込む」構成を具備していない。そして、刊行物１、３〜５は、本件発明の上記構成については記載するものでないばかりか示唆するものでもない。
　しかも、該構成により、「バッファメモリ、圧縮データ保持用メモリの記憶容量を低減することができる」といった顕著な作用効果を奏するものと認められる。
　してみると、本件請求項６に係る発明は、刊行物２記載の発明でないばかりか、刊行物１〜５記載の発明に基づいて当業者が容易に発明できたものでもない。
　
　また、本件請求項６に係る発明と刊行物６記載の先願発明とを対比すると、刊行物６記載の先願発明は、本件請求項６に係る発明の「前記圧縮したデータを保持する手段の各ブロックが空白であるか否かを保持するレジスタを持ち、このレジスタを参照して該当するブロックが空白の場合には、伸張、合成の処理を行わずバッファメモリの内容を直接圧縮して前記圧縮したデータを保持する手段の該当するブロックに書き込む」構成を具備していない。
　このため、本件請求項６に係る発明は刊行物６記載の先願発明と同一の発明ではない。
　
（請求項７に係る発明について）
　本件請求項７に係る発明と刊行物２記載の発明とを対比すると、刊行物２記載の発明は、本件請求項７に係る発明の「前記展開する手段は、前記ブロックと同等のサイズを持ったバッファメモリを２つ持ち、一方のバッファメモリに展開するとともに他方のバッファメモリの内容を前記圧縮する手段により圧縮し、２つのバッファメモリに交互に展開及び展開した結果の圧縮を行う」構成を具備していない。そして、刊行物１、３〜５は、本件発明の上記構成については記載するものでないばかりか示唆するものでもない。
　しかも、該構成により、「バッファメモリ、圧縮データ保持用メモリの記憶容量を低減することができる」といった顕著な作用効果を奏するものと認められる。
　してみると、本件請求項７に係る発明は、刊行物２記載の発明でないばかりか、刊行物１〜５記載の発明に基づいて当業者が容易に発明できたものでもない。
　
　また、本件請求項７に係る発明と刊行物６記載の先願発明とを対比すると、刊行物６記載の先願発明は、本件請求項７に係る発明の「前記展開する手段は、前記ブロックと同等のサイズを持ったバッファメモリを２つ持ち、」「２つのバッファメモリに交互に展開及び展開した結果の圧縮を行う」構成を具備していない。
　このため、本件請求項７に係る発明は刊行物６記載の先願発明と同一の発明ではない。
　
（請求項８に係る発明について）
　本件請求項８に係る発明と刊行物６記載の先願発明とを対比すると、刊行物６記載の先願発明は、本件請求項８に係る発明の「前記展開する手段により、展開作業の終了しているバッファメモリの中から１つ以上を選択して圧縮データ保持用メモリの該当するブロックの伸張したデータと合成」する構成を具備していない。
　このため、本件請求項８に係る発明は刊行物６記載の先願発明と同一の発明ではない。
　
（請求項９に係る発明について）
　本件請求項９に係る発明と刊行物６記載の先願発明とを対比すると、刊行物６記載の先願発明は、本件請求項９に係る発明の「前記展開する手段は、前記ブロックと同等のサイズを持ったバッファメモリを２つ持」つ構成を具備していない。
　このため、本件請求項９に係る発明は刊行物６記載の先願発明と同一の発明ではない。
　
　
（６）むすび
　以上のとおりであるから、本件請求項１及び３に係る発明についての特許は、拒絶の査定をしなければならない特許出願に対してされたものと認める。
　また、特許異議申立、並びに、当審が通知した理由及び証拠によっては、本件請求項２、５〜９に係る発明の特許を取り消すことはできないと共に、他に本件請求項２、５〜９に係る発明の特許を取り消すべき理由を発見しない。
　
　よって、特許等の一部を改正する法律（平成６年法律第１１６号）附則第１４条の規定に基づく、特許法等の一部を改正する法律の施行に伴う経過処置を定める政令（平成７年政令第２０５号）第４条第２項の規定により、結論のとおり決定する。
【異議決定日】
平成１４年８月１２日（２００２．８．１２）
【訂正の要旨】
訂正の要旨
１．特許請求の範囲の減縮、及び、明りょうでない記載の釈明を目的として、
設定登録時の特許請求の範囲の
「【請求項１】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段を具備し、展開された画像情報を圧縮した状態のデータで保持するように構成したことを特徴とする画像記録装置。
　【請求項２】　前記展開する手段により画像情報が展開される１ページのメモリ空間をブロック分けし、ブロック単位で圧縮を行うようにしたことを特徴とする請求項１記載の画像記録装置。
　【請求項３】　前記展開する手段は、画像情報が展開される１ページのメモリ空間をブロック分けした１ブロックと同等のサイズを持ったバッファメモリを少なくとも２つ以上持つことを特徴とする請求項２記載の画像記録装置。
　【請求項４】　前記ブロックのサイズは、縦横の長さが２のべき乗の画素数であることを特徴とする請求項２記載の画像記録装置。
　【請求項５】　前記展開する手段により、ページ記述言語を解読して画像情報に展開する場合に、前記バッファメモリのうちの１つに展開し、展開する文字または図形の座標が展開中のバッファメモリのサイズを越えた場合に、他のバッファメモリに切り換えて展開するようにしたことを特徴とする請求項３記載の画像記録装置。
　【請求項６】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成したことを特徴とする画像記録装置。
　【請求項７】　前記展開する手段により画像情報が展開される１ページのメモリ空間をブロック分けし、ブロック単位で圧縮／伸張を行うようにしたことを特徴とする請求項６記載の画像記録装置。
　【請求項８】　前記展開する手段は、画像情報が展開される１ページのメモリ空間をブロック分けした１ブロックと同等のサイズを持ったバッファメモリを少なくとも２つ以上持つことを特徴とする請求項７記載の画像記録装置。
　【請求項９】　前記展開する手段により、展開作業の終了しているバッファメモリの中から１つ以上を選択して圧縮データ保持用メモリの該当するブロックの伸張したデータと合成し、圧縮／伸張する手段により、合成した結果を圧縮して前記該当するブロックに格納し、バッファメモリを使用可能とすることを特徴とする請求項８記載の画像記録装置。
　【請求項１０】　前記展開する手段は、展開しようとするブロックに対応する圧縮データ保持用メモリの圧縮データを圧縮／伸張する手段により伸長してバッファメモリに保持し、該バッファメモリに合成しながら画像情報を展開するようにしたことを特徴とする請求項８記載の画像記録装置。
　【請求項１１】　前記圧縮／伸張する手段と圧縮したデータを保持する手段をそれぞれ２つ以上持ち、複数のバッファメモリの圧縮／伸張作業が並行して行えると共に、伸張後の画素データを組合せて記録部に出力できるようにしたことを特徴とする請求項６記載の画像記録装置。
　【請求項１２】　前記圧縮／伸張する手段と圧縮したデータを保持する手段をそれぞれ２つ以上持ち、記録部からのクロックに同期して前記保持する手段から圧縮データを読み出して前記圧縮／伸張する手段で伸張しラインバッファに送ることを特徴とする請求項６記載の画像記録装置。」を、
「【請求項
１
ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段、
ブロックに分割して管理するブロック管理手段、ラインバッファを具備し、ブロック管理手段は、前記圧縮する手段によりブックを圧縮し展開と同時並行で前記圧縮データを保持する手段のブロックに書き込み処理を行い
行って展開された画像情報を圧縮した状態のデータで保持するように構成し、前記圧縮したデータを保持する手段の圧縮データを記録部へ出力する場合には、圧縮データを前記圧縮したデータを保持する手段から読み出して伸張し、ラインバッファに格納する
る画
　【請求項
２
ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段、前記展開する手段により画像情報が展開される１ページのメモリ空間をブロックに分割して管理するブロック管理手段を具備し、ブロック単位で圧縮を行って展開された画像情報を圧縮した状態のデータで保持するように構成し、
２つ
ち、ブロック管理手段は、ブロックの画像情報を一方のバッファメモリに展開し、前記圧縮する手段によりブロックを圧縮し展開と同時並行で前記圧縮データを保持する手段のブロックに書き込み処理を行い、一方のバッファメモリに展開するとともに他方のバッファメモリの内容を前記圧縮する手段により圧縮し、２つのバッファメモリに交互に展開及び展開した結果の圧縮を行う
る画
　【請求項
３
１
　【請求項
４
ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段を具備し、前記展開する手段により画像情報が展開される１ページのメモリ空間をブロック分けし、ブロック単位で圧縮を行って、展開された画像情報を圧縮した状態のデータで保持するとともに、前記展開する手段は、画像情報が展開される１ページのメモリ空間をブロック分けした１ブロックと同等のサイズを持ったバッファメモリを少なくとも２つ以上持ち、
る画
　【請求項
５
複数のバッファメモリ、
画像情報を一つのバッファメモリに展開し、他のバッファメモリに展開するように切り替えられたら前記１つのバッファメモリの画像情報と前記圧縮／伸張する手段により前記圧縮したデータを保持する手段の圧縮データを伸張した画像情報とを合成し、その結果を圧縮し、前記他のバッファメモリへの展開と同時並行で前記圧縮したデータを保持する手段への書き込み処理を行う
　【請求項
６
ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成し、展開した画像情報と前記圧縮／伸張する手段により前記圧縮したデータを保持する手段の圧縮データを伸張した画像情報とを合成し、その結果を圧縮し、前記圧縮したデータを保持する手段への書き込み処理を行うとともに、
い、さらに、前記圧縮したデータを保持する手段の各ブロックが空白であるか否かを保持するレジスタを持ち、このレジスタを参照して該当するブロックが空白の場合には、伸張、合成の処理を行わずバッファメモリの内容を直接圧縮して前記圧縮したデータを保持する手段の該当するブロックに書き込む
る画
　【請求項
７
ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成し、展開した画像情報と前記圧縮／伸張する手段により前記圧縮したデータを保持する手段の圧縮データを伸張した画像情報とを合成し、その結果を圧縮し、前記圧縮したデータを保持する手段への書き込み処理を行うとともに、前記展開する手段により画像情報が展開される１ページのメモリ空間をブロック分けし、ブロック単位で圧縮／伸張を行い、さらに、
前記
２つ
ち、一方のバッファメモリに展開するとともに他方のバッファメモリの内容を前記圧縮する手段により圧縮し、２つのバッファメモリに交互に展開及び展開した結果の圧縮を行う
る画
　【請求項
８
ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成し、前記展開する手段は、画像情報が展開される１ページのメモリ空間をブロック分けした１ブロックと同等のサイズを持ったバッファメモリを少なくとも２つ以上持ち、画像情報が展開される１ページのメモリ空間をブロック分けし、ブロック単位で圧縮／伸張を行うようにしたものであり、
る画
　【請求項
９
ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段、ラインバッファを具備し、展開された画像情報を圧縮した状態のデータで保持するように構成し、展開した画像情報と前記圧縮／伸張する手段により前記圧縮したデータを保持する手段の圧縮データを伸張した画像情報とを合成し、その結果を圧縮し、前記圧縮したデータを保持する手段への書き込み処理を行うとともに、前記展開する手段により画像情報が展開される１ページのメモリ空間をブロック分けし、ブロック単位で圧縮／伸張を行い、さらに、
前記ブロックと同等のサイズを持ったバッファメモリを２つ持ち、
し、前記圧縮したデータを保持する手段の圧縮データを記録部へ出力する場合には、圧縮データを前記圧縮したデータを保持する手段から読み出して前記圧縮／伸張する手段で伸張し、ラインバッファに格納する
る画
　【請求項
１０
ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備するとともに、
展開された画像情報を圧縮した状態のデータで保持するように構成し、
る画
　【請求項
１１
ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備するとともに、
展開された画像情報を圧縮した状態のデータで保持するように構成し、
る画
（５４）【発明の名称】
画像記録装置
（５７）【特許請求の範囲】
　【請求項１】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段、前記展開する手段により画像情報が展開される１ページのメモリ空間をブロックに分割して管理するブロック管理手段、ラインバッファを具備し、ブロック管理手段は、前記圧縮する手段によりブロックを圧縮し展開と同時並行で前記圧縮データを保持する手段のブロックに書き込み処理を行い、ブロック単位で圧縮を行って展開された画像情報を圧縮した状態のデータで保持するように構成し、前記圧縮したデータを保持する手段の圧縮データを記録部へ出力する場合には、圧縮データを前記圧縮したデータを保持する手段から読み出して伸張し、ラインバッファに格納することを特徴とする画像記録装置。
　【請求項２】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段、前記展開する手段により画像情報が展開される１ページのメモリ空間をブロックに分割して管理するブロック管理手段を具備し、ブロック単位で圧縮を行って展開された画像情報を圧縮した状態のデータで保持するように構成し、前記展開する手段は、画像情報が展開される１ページのメモリ空間をブロック分けした１ブロックと同等のサイズを持ったバッファメモリを２つ持ち、ブロック管理手段は、ブロックの画像情報を一方のバッファメモリに展開し、前記圧縮する手段によりブロックを圧縮し展開と同時並行で前記圧縮データを保持する手段のブロックに書き込み処理を行い、一方のバッファメモリに展開するとともに他方のバッファメモリの内容を前記圧縮する手段により圧縮し、２つのバッファメモリに交互に展開及び展開した結果の圧縮を行うことを特徴とする画像記録装置。
　【請求項３】　前記ブロックのサイズは、縦横の長さが２のべき乗の画素数であることを特徴とする請求項１記載の画像記録装置。
　【請求項４】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段、圧縮したデータを保持する手段を具備し、前記展開する手段により画像情報が展開される１ページのメモリ空間をブロック分けし、ブロック単位で圧縮を行って、展開された画像情報を圧縮した状態のデータで保持するとともに、前記展開する手段は、画像情報が展開される１ページのメモリ空間をブロック分けした１ブロックと同等のサイズを持ったバッファメモリを少なくとも２つ以上持ち、前記展開する手段により、ページ記述言語を解読して画像情報に展開する場合に、前記バッファメモリのうちの１つに展開し、展開する文字または図形の座標が展開中のバッファメモリのサイズを越えた場合に、他のバッファメモリに切り換えて展開するようにしたことを特徴とする画像記録装置。
　【請求項５】　ページ記述言語で記述された文章や図形を解読して画像情報に展開し、画像情報として出力することが可能になった画像記録装置において、ページ記述言語で記述された文章や図形を解読して画像情報に展開する手段、複数のバッファメモリ、展開した画像情報を圧縮／伸張する手段、圧縮したデータを保持する手段を具備し、展開された画像情報を圧縮した状態のデータで保持するように構成し、画像情報を一つのバッファメモリに展開し、他のバッファメモリに展開するように切り替えられたら前記１つのバッファメモリの画像情報と前記圧縮／伸張する手段により前記圧縮したデータを保持する手段の圧縮データを伸張した画像情報とを合成し、その結果を圧縮し、前記他のバッファメモリへの展開と同時並行で前記圧縮したデータを保持する手段への書き込み処理を行うことを特徴とする画像記録装置。
　【請求項６】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成し、展開した画像情報と前記圧縮／伸張する手段により前記圧縮したデータを保持する手段の圧縮データを伸張した画像情報とを合成し、その結果を圧縮し、前記圧縮したデータを保持する手段への書き込み処理を行うとともに、前記展開する手段により画像情報が展開される１ページのメモリ空間をブロック分けし、ブロック単位で圧縮／伸張を行い、さらに、前記圧縮したデータを保持する手段の各ブロックが空白であるか否かを保持するレジスタを持ち、このレジスタを参照して該当するブロックが空白の場合には、伸張、合成の処理を行わずバッファメモリの内容を直接圧縮して前記圧縮したデータを保持する手段の該当するブロックに書き込むことを特徴とする画像記録装置。
　【請求項７】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成し、展開した画像情報と前記圧縮／伸張する手段により前記圧縮したデータを保持する手段の圧縮データを伸張した画像情報とを合成し、その結果を圧縮し、前記圧縮したデータを保持する手段への書き込み処理を行うとともに、前記展開する手段により画像情報が展開される１ページのメモリ空間をブロック分けし、ブロック単位で圧縮／伸張を行い、さらに、前記展開する手段は、前記ブロックと同等のサイズを持ったバッファメモリを２つ持ち、一方のバッファメモリに展開するとともに他方のバッファメモリの内容を前記圧縮する手段により圧縮し、２つのバッファメモリに交互に展開及び展開した結果の圧縮を行うことを特徴とする画像記録装置。
　【請求項８】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備し、展開された画像情報を圧縮した状態のデータで保持するように構成し、前記展開する手段は、画像情報が展開される１ページのメモリ空間をブロック分けした１ブロックと同等のサイズを持ったバッファメモリを少なくとも２つ以上持ち、画像情報が展開される１ページのメモリ空間をブロック分けし、ブロック単位で圧縮／伸張を行うようにしたものであり、前記展開する手段により、展開作業の終了しているバッファメモリの中から１つ以上を選択して圧縮データ保持用メモリの該当するブロックの伸張したデータと合成し、圧縮／伸張する手段により、合成した結果を圧縮して前記該当するブロックに格納し、バッファメモリを使用可能とすることを特徴とする画像記録装置。
　【請求項９】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段、ラインバッファを具備し、展開された画像情報を圧縮した状態のデータで保持するように構成し、展開した画像情報と前記圧縮／伸張する手段により前記圧縮したデータを保持する手段の圧縮データを伸張した画像情報とを合成し、その結果を圧縮し、前記圧縮したデータを保持する手段への書き込み処理を行うとともに、前記展開する手段により画像情報が展開される１ページのメモリ空間をブロック分けし、ブロック単位で圧縮／伸張を行い、さらに、前記展開する手段は、前記ブロックと同等のサイズを持ったバッファメモリを２つ持ち、展開しようとするブロックに対応する圧縮データ保持用メモリの圧縮データを圧縮／伸張する手段により伸長してバッファメモリに保持し、該バッファメモリに合成しながら画像情報を展開し、前記圧縮したデータを保持する手段の圧縮データを記録部へ出力する場合には、圧縮データを前記圧縮したデータを保持する手段から読み出して前記圧縮／伸張する手段で伸張し、ラインバッファに格納するようにしたことを特徴とする画像記録装置。
　【請求項１０】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備するとともに、前記圧縮／伸張する手段と圧縮したデータを保持する手段をそれぞれ２つ以上持ち、展開された画像情報を圧縮した状態のデータで保持するように構成し、複数のバッファメモリの圧縮／伸張作業が並行して行えると共に、伸張後の画素データを組合せて記録部に出力できるようにしたことを特徴とする画像記録装置。
　【請求項１１】　ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮／伸張する手段、圧縮したデータを保持する手段を具備するとともに、前記圧縮／伸張する手段と圧縮したデータを保持する手段をそれぞれ２つ以上持ち、展開された画像情報を圧縮した状態のデータで保持するように構成し、記録部からのクロックに同期して前記保持する手段から圧縮データを読み出して前記圧縮／伸張する手段で伸張しラインバッファに送ることを特徴とする画像記録装置。
【発明の詳細な説明】
　【０００１】
　【産業上の利用分野】
　本発明は、ページ記述言語により文章や図形を出力できる画像記録装置に関するものである。
　【０００２】
　【従来の技術】
　近年、コンピュータ等で作成した文章や図形をプリンタを使用して出力する場合、両者の間の情報通信手段として、ページ記述言語ＰＤＬというものが使われ始めている。ページ記述言語とは、例えば文章を出力する場合、プリンタに対してフォントの種類、出力する大きさ、出力する用紙上での位置等を定められた書式で通信するものであり、例えばポストスクリプトやインタープレス等で呼ばれているものがある。このようなページ記述言語を処理するプリンタ制御部は、その情報を解釈して画素単位のデータ等のように用紙に出力できる形式にし、それに基づきプリンタを制御するものである。
　【０００３】
　第８図はページ記述言語によるデジタル情報を取り込み処理する画像記録装置の従来例（特開平２ー６７１５９号公報参照）を示す図であり、以下にその概要を説明する。
　【０００４】
　第８図に示す例では、ページ記述言語がホストコンピュータ２１からＧＰーＩＢ、ＳＣＳＩ等の標準インターフェースを介して送られてくると、翻訳部２３上のＣＰＵ２４で逐次解読されると共に、翻訳部２３の内部にある画面構成情報テーブル内に記憶された各編集情報が逐次ＣＰＵ２４によって書き換えられる。このように翻訳部２３の中には、画面構成情報テーブルがあって、ホストコンピュータ２１からの作図、文字、描画、情報等のビデオデータ以外の編集情報がビットマップ形式でページメモリ２６と同一画素に１体１に対応するよう書き込まれる。編集が終了して印刷の要求があった場合、メモリドライバ２５から発生するビデオクロックＣＬＫに同期して、グラフィックデータ及びテキストデータについて画面構成情報テーブルに基づき、座標変換、文字、図形、濃度等各種画像処理が施され、メモリドライバ２５にリアルタイムで送出される。メモリドライバ２５は、アドレスを発生して翻訳部２３からの位置情報に対応したビデオデータをＲ、Ｇ、Ｂのページメモリ２６に記録する。ページメモリ２６は、出力紙上の画素位置とメモリの各ビットが１対１に対応する所謂ビットマップ形式で構成されており、その１画素がプリンタの表現能力に応じたビット数を有する。ページメモリ２６上に展開されたフルカラーの画像情報は、プリンタドライバ２７よりページメモリ２６に記録部８２との同期がとられたラスタースキャンアドレスが与えられ、ラスタ画像として読み出される。
　【０００５】
　【発明が解決しようとする課題】
　しかしながら、上記画像記録装置において、レーザープリンタ等に画像を出力する場合は、１ページ分のページメモリに画素データを展開しなければならず、大きなメモリを必要とするという問題がある。さらに、１ページ分の画素データを多階調データで保持する場合には、例えば２５６階調では各画素に８ビットの深さが必要になり、前記の問題はさらに顕著になる。それもカラー画像になるとＲ（レッド）、Ｇ（グリーン）、Ｂ（ブルー）の３枚、フルカラーのトナーになるとＹ（イエロー）、Ｍ（マゼンタ）、Ｃ（シアン）、Ｋ（黒）の４枚のページメモリが必要になり、Ａ３サイズでは１００メガバイト近い膨大なメモリ容量が必要になる。
　【０００６】
　以上の点に鑑み、本発明の目的は、ページ記述言語で記述された文章や図形を解読して、少ないメモリで展開しその結果を保持し出力できる画像記録装置を提供することにある。
　【０００７】
　【課題を解決するための手段】
　そのために本発明の画像記録装置は、ページ記述言語で記述された文章や図形を解読して画像情報に展開し、画像情報として出力することが可能になった画像記録装置において、ページ記述言語で記述された文章や図形を解読して画像情報に展開する手段、展開した画像情報を圧縮する手段或いは圧縮／伸張する手段、圧縮したデータを保持する手段を具備し、展開された画像情報を圧縮した状態のデータで保持するように構成したことを特徴とするものである。
　【０００８】
　【作用】
　本発明の画像記録装置では、ページ記述言語で記述された文章や図形を解読して画像情報に展開する手段、展開した画像情報を圧縮する手段或いは圧縮／伸張する手段、圧縮したデータを保持する手段を具備するので、ページ記述言語で記述された文章や図形を展開した画像情報が圧縮データとして保持することができ、メモリ容量を低減することができる。
　【０００９】
　【実施例】
　以下、図面を参照しつつ実施例を説明する。
　【００１０】
　第１図は本発明に係る画像記録装置の１実施例を示す図、第２図は出力画像を１６のブロックに分けた場合の例を示す図、第３図は圧縮格納処理を説明するための図である。
　【００１１】
　第１図において、通信部１は、例えばホストコンピュータに接続され、ホストコンピュータから送られてきたページ記述言語がこの通信部１を介して翻訳部２で解読され画像情報に展開される。ブロック管理部３は、翻訳部２及び圧縮／伸張部５からの画像情報を所定のブロックに分割して管理するものであり、バッファメモリ４ー１、４ー２は、その分割したブロックサイズを有するビットマップ形式のバッファである。圧縮／伸張部５は、ブロック管理部３からブロック単位で送られてくる画像情報を圧縮して圧縮データ保持用メモリ６に格納し、圧縮データ保持用メモリ６からブロック単位で圧縮データを読み出して伸張しブロック管理部３に送り、或いは記録部８からのクロックに同期して圧縮データ保持用メモリ６から圧縮データを読み出して伸張しラインバッファ７に送るものである。すなわち、ページ記述言語により記述された文章や図形を所定のブロックでバッファメモリ４ー１又は４ー２に展開する場合には、そのブロックに対応する位置の圧縮データを圧縮データ保持用メモリ６から読み出して圧縮／伸張部５で伸張し、合成する。そして、その合成した画像情報を圧縮／伸張部５で圧縮して圧縮データ保持用メモリ６に書き込む。そして、圧縮データ保持用メモリ６の圧縮データを記録部８へ出力する場合には、圧縮データを圧縮データ保持用メモリ６から読み出して圧縮／伸張部５で伸張し、ラインバッファ７に格納する。
　【００１２】
　次に、出力画像を第２図（ａ）に示すように１６のブロックに分けて設定されている場合を例に上記本発明の画像記録装置の処理を説明する。
　【００１３】
　出力画像を第２図（ａ）に示すようにブロック分けした場合、バッファメモリ４ー１、４ー２は、その１ブロックと同じサイズのものを用い、圧縮データ保持用メモリ６も、同図（ｂ）に示すようにこのブロックに対応したサイズの圧縮データを保持するサイズでブロック分けされる。
　【００１４】
　そこで、今ページ記述言語により同図（ａ）のブロック（１，１）、（１，２）、（２，１）、（２，２）に跨がる位置に円を描くように指示されると、これを画素に展開する場合には、第３図に示すような流れで展開、合成、圧縮処理がなされる。まず、円がブロック（１，１）から始まり左回りに描かれるとすると、ブロック管理部３において、同図（ａ）に示すように展開された画素がブロック（１，１）の範囲に入る間は、その画像情報をバッファメモリ４ー１に展開する。そして、展開された画素がブロック（１，１）の範囲を越えてブロック（２，１）の範囲に入った時に、同図（ｂ）に示すようにバッファメモリ４ー２に展開するように切り替える。なおこのときのバッファメモリ４ー１の内容は、圧縮／伸張部５により圧縮データ保持用メモリ６のブロック（１，１）を伸張したのと合成し、その結果を圧縮しバッファメモリ４ー２への展開と同時並行で圧縮データ保持用メモリのブロック（１，１）に書き込み処理を行う。
　【００１５】
　同様に、展開された画素がブロック（２，１）の範囲を越えてブロック（２，２）の範囲に入った時に、同図（ｃ）に示すようにバッファメモリ４ー１に展開するように切り替える。このときもバッファメモリ４ー２の内容は、圧縮／伸張部５により圧縮データ保持用メモリ６のブロック（２，１）を伸張したものと合成し、その結果を圧縮して圧縮データ保持用メモリ６のブロック（２，１）に書き込む。
　【００１６】
　このようにして、バッファメモリ４ー１とバッファメモリ４ー２に交互に展開して同図（ｄ）、（ｅ）の処理を行い、ブロック（２，２）、（１，２）に展開した結果を圧縮し、最終的に圧縮データ保持用メモリ６のブロック（１，２）に書き込んだ時点で前記の円に関するページ記述言語の解釈、展開の作業は終了する。
　【００１７】
　以上の処理を各ページ記述言語毎に繰り返して行う。したがって、圧縮データ保持用メモリ６の各ブロックは、始め白地からバッファメモリ４ー１または４ー２でページ記述言語により記述された文章や図形の画素への展開がある毎に繰り返して対応するブロックから圧縮データを読み出し圧縮／伸張部５により伸張して合成し、その結果を再び圧縮して書き込むことによって更新される。
　【００１８】
　第４図は文字等のテキスト情報の処理に好適なブロック分けの実施例を示す図、第５図は文字等のテキスト情報の処理に好適な本発明に係る画像記録装置の他の実施例構成を示す図である。
　【００１９】
　ブロックの展開は、イメージ等のグラフィック情報になると四方に展開されるが、文字等のテキスト情報になると通常は一定の幅で横方向に展開される。第４図に示すブロック分けは、ブロックを出力画像範囲の横方向の長さを持つようにしたものであり、文字等のテキスト情報の処理に好適なように構成したものである。すなわち、このようなブロック分けにすると、出力画像が横書きの文章の場合に、展開された画素が同一のブロックに入る確率が高くなるので、ブロックの切り替え回数を低減することが可能となる。したがって、例えば縦横の長さが２のべき乗の画素数となるようにブロック分けを細かくしてブロック当たりのサイズを小さくし、バッファメモリの容量を減らすか、または、ブロックサイズが大きくても、バッファメモリの数を減らす（最少は２つ）ことによりバッファメモリのための使用メモリ容量を減らすことができる。
　【００２０】
　さらに、第５図に示すように文字コード翻訳部９を設けて従来の文字フォント発生機能を付加することにより、ページ記述言語以外の従来の文字コードで送られてきた情報を文字フォントに展開する場合に、圧縮／伸張を使用せず前記バッファメモリをラインバッファとして使用することも可能になる。
　【００２１】
　第６図及び第７図は本発明に係る画像記録装置の他の実施例構成を示す図である。
　【００２２】
　上記の実施例では、出力画像のブロック分けに対応して圧縮データ保持用メモリもブロック分けし、そのブロックに対応するサイズのバッファメモリを２つ設けて上記のように交互に展開、圧縮処理を行うようにした。また、圧縮／伸張部及び圧縮データ保持用メモリを１つずつ設けるようにした。これに対し、圧縮／伸張部と圧縮データ保持用メモリをそれぞれ２つ以上持ち、それらの伸張後の画素データを組合せて連続して記録部に出力できるように、切換器１０を付加した例のブロック図を示したのが第６図である。これにより、圧縮／伸張の動作速度が他の動作速度と比較して遅い場合に、部分的に並列動作することにより、この動作速度の違いによる障害を低減することが可能となる。なお、この場合における圧縮データ保持用メモリへの格納の対象となるバッファメモリの選択は、最後に展開された履歴の古いものから順番に選択される。
　【００２３】
　また、第７図に示す例は、画像読み取り部１１、画像処理部１２、及び記録部１３からなる複写機に本発明の画像記録装置を組合せることにより、読み取った画像とページ記述言語を解釈、展開した結果を合成し出力することができるように構成したものである。
　【００２４】
　なお、本発明は、上記の実施例に限定されるものではなく、種々の変形が可能である。例えば上記の実施例では、一定の順序で画像情報をバッファメモリに展開したが、展開しようとするブロックと同一のブロックの画像情報を保持しているバッファメモリがある場合にはこれに合成、展開し、そのようなバッファメモリが存在しない場合には、使用可能なバッファメモリに展開するようにしてもよい。また、圧縮データ保持用メモリの各ブロックが１度も文字や図形等が展開されていない状態の空白であるか否かを保持するレジスタを持ち、このレジスタを参照して該当するブロックが空白の場合には、伸張、合成の処理を行わずバッファメモリの内容を直接圧縮して圧縮データ保持用メモリの該当するブロックに書き込むようにしてもよい。
　【００２５】
　【発明の効果】
　以上の説明から明らかなように、本発明によれば、出力画像をブロック分けしてブロック単位でページ記述言語の展開、圧縮を行った後の圧縮データを圧縮データ保持用メモリに保持するので、バッファメモリ、圧縮データ保持用メモリの記憶容量を低減することができる。
　【００２６】
　１つの例として１画素当たり２４ビットで１インチ当たり４００画素のページ記述言語対応のカラーレーザープリンターでみると、Ａ３サイズの画像情報を従来の方法で出力するためには、展開用メモリが約９６メガバイト必要となる。これに対して圧縮率を１０：１として１メガバイトのバッファメモリを３つ使用した場合の本発明の構成では、約１３メガバイトのメモリ使用量ですむ。そのため、メモリの容量、コストを低減することが可能となる。
　【００２７】
　また、複数ページの画像情報を保持する必要がある場合、本発明を使用したシステムでは、圧縮データ保持用メモリを増設することにより対応できるため、前記の条件で従来の方法に対して、Ａ３サイズ１ページ当たりで約８６メガバイト節約することが可能となり、その効果はさらに顕著である。
【図面の簡単な説明】
　【図１】　本発明に係る画像記録装置の１実施例を示す図である。
　【図２】　出力画像を１６のブロックに分けた場合の例を示す図である。
　【図３】　圧縮格納処理を説明するための図である。
　【図４】　文字等のテキスト情報の処理に好適なようにブロック分けした実施例を示す図である。
　【図５】　文字等のテキスト情報の処理に好適な本発明に係る画像記録装置の他の実施例構成を示す図である。
　【図６】　本発明に係る画像記録装置の他の実施例構成を示す図である。
　【図７】　本発明に係る画像記録装置の他の実施例構成を示す図である。
　【図８】　ページ記述言語によるデジタル情報を取り込み処理する画像記録装置の従来例を示す図である。
　【符号の説明】
　１…通信部、２…翻訳部、３…ブロック管理部、４ー１、４ー２…バッファメモリ、５…圧縮／伸張部、６…圧縮データ保持用メモリ、７…ラインバッファ、８…記録部